(57)【要約】      （修正有）【課題】農業用及び工業用水路及び排水路等において、水の向きを変える箇所に用いることができる構造体であって、接続後の隣接Ｕ字溝との接続部からの水漏れが極めて生じ難く、さらに埋設箇所の曲がり具合に応じた種々の方向への彎曲が可能である利点を有しつつ、流水の外部への飛散を効果的に防止し、かつ、周囲の土圧荷重に対する剛性が高い可撓性を有する構造体の提供。【解決手段】水流の向きを変える位置に設置使用される構造体であって、硬質合成樹脂又は繊維強化樹脂からなる筒状体であって、少なくともその一部において、内外周壁の実質全体にわたって延びる山部及び谷部が交互に該筒状体４の長手方向に連続形成されることにより、可撓性蛇腹状部５を備えてなることを特徴とする、可撓性を有する構造体１。【選択図】図２
2004150109.tif 000002
【特許請求の範囲】
【請求項１】
水流の向きを変える位置に設置使用される構造体であって、硬質合成樹脂又は繊維強化樹脂からなる筒状体であって、少なくともその一部において、内外周壁の実質全体にわたって延びる山部及び谷部が交互に該筒状体の長手方向に連続形成されることにより、可撓性蛇腹状部を備えてなることを特徴とする、可撓性を有する構造体。
【請求項２】
水流の向きを変える位置に設置使用される構造体であって、硬質合成樹脂又は繊維強化樹脂からなる筒状体であって、少なくともその一部において、内外周壁の実質全体にわたって延びる山部及び谷部が交互に該筒状体の長手方向に連続形成されることにより、可撓性蛇腹状部を備え、かつ、
該蛇腹状部の上流側及び下流側に、波形が長手方向に連続形成された直線形Ｕ字溝の端部と嵌合する雌型接続部及び雄型接続部を、該蛇腹状部と連なって一体に成形してなることを特徴とする、可撓性を有する構造体。
【請求項３】
水流の向きを変える位置に設置使用される構造体であって、硬質合成樹脂又は繊維強化樹脂からなる筒状体の長手方向に延びる頂部の一部又は全部が切り欠かれた切り欠き筒状体であって、少なくともその一部において、内外周壁の実質全体にわたって延びる山部及び谷部が交互に該切り欠き筒状体の長手方向に連続形成されることにより、可撓性蛇腹状部を備えてなることを特徴とする、可撓性を有する構造体。
【請求項４】
水流の向きを変える位置に設置使用される構造体であって、硬質合成樹脂又は繊維強化樹脂からなる筒状体の長手方向に延びる頂部の一部又は全部が切り欠かれた切り欠き筒状体であって、少なくともその一部において、内外周壁の実質全体にわたって延びる山部及び谷部が交互に該切り欠き筒状体の長手方向に連続形成されることにより、可撓性蛇腹状部を備え、かつ、
該蛇腹状部の上流側及び下流側に、波形が長手方向に連続形成された直線形Ｕ字溝の端部と嵌合する雌型接続部及び雄型接続部を、該蛇腹状部と連なって一体に成形してなることを特徴とする、可撓性を有する構造体。
【発明の詳細な説明】
【０００１】
【発明の属する技術分野】
本発明は、農業用及び工業用水路及び排水路、並びに一般土木用水路及び排水路において、種々の方向に曲げることが可能な可撓性を有する構造体に関する。
【０００２】
【従来の技術】
一般に、Ｕ字溝を埋設すべき箇所は通常の平坦地に限らず、山野等の傾斜地にも及び、その箇所は左右への彎曲の他、上下方向へと傾斜していく場合や、さらには、左右に彎曲しつつ上下方向へと傾斜する等、複雑な曲がり方をしている場合もある。従来、真っ直ぐに延びる埋設箇所にあっては、直線形Ｕ字溝が割り当てられる一方、かように彎曲した埋設箇所つまり、直線形Ｕ字溝とその次に接続する直線形Ｕ字溝との間については、コンクリートの打ち込みで作られた構造体で補う方法、又は所定の曲り角度を有する曲り継手を準備しこれを用いて曲がり箇所の水路を形成するという手法がとられてきた。しかし、前者は作業工程が煩雑であり、また後者の場合においては、既存の曲り継手は９０°もしくは４５°といった特定の曲り角度を有するものしか存在しない為、対応できる角度にも限度があった。例えば埋設現場での曲り角度が特定の曲り角度と数度異なるだけで、その特定の曲り角度をもつ曲り継手はその埋設現場に適用できなかった。その為、種々の角度に彎曲した曲り継手をあらかじめ成形しておき、埋設箇所の彎曲の具合に応じた曲り継手を選択して使用することも考えられたが、その場合、非常に多種の型枠を作製する必要が生じ、生産効率の面で非常に不都合であった。そこで、かような問題点を克服する為、埋設箇所の曲がり角度に応じて、それ自体の曲がり角度を調節することができるＵ字溝の開発が進められてきた。
【０００３】
例えば、実公平７−５２２２５号公報は、曲り箇所にＵ形溝部材を曲げて接続できるようにすべく、底壁とその底壁の両側に立ち上げられた側壁とを有するＵ形溝部材本体の一端部においてその両側壁を外側に円弧状に張り出させることによりＵ形溝部材本体の一端部にその他端部に対応する外嵌合部が構成されており、その外嵌合部の底壁と上記他端部の底壁とに互いに回転自在に嵌合可能な凹部と凸部とが各別に設けられ、上記外嵌合部における円弧状の張出部の曲率中心が、上記凹部と凸部との嵌合箇所に設定されていることを特徴とするＵ形溝部材を開示している。
【０００４】
しかし、実公平７−５２２２５号公報が開示するＵ字溝部材は、外嵌合部の底壁に設けられた凸部を中心として、他方のＵ字溝部材が所定の角度の範囲内で回転し得るものである為、左右に曲げるには適した構造をとっているが、反対に上下に曲げるには自由度が非常に低い。また、経時的使用により外嵌合部の底壁とこれに嵌合する他端部の底壁との間に隙間が生じ易く、したがって、その隙間より水漏れが発生するおそれがあるという問題があった。
【０００５】
【特許文献１】
実公平７−５２２２５号公報
【０００６】
【発明が解決しようとする課題】
そこで本発明者は、かかる問題を解決する為に、断面略Ｕ字形状をなし、その底部から左右の側部に延びる山部及び谷部が交互に溝の長手方向に連続形成されてなる可撓性蛇腹状部を備えてなるＵ字溝をまず案出した。該可撓性Ｕ字溝は任意の角度での埋設が可能であって、直線形Ｕ字溝との接続後においては、その接続部の安定性が高く、水漏れを起こすおそれが非常に少ないという点において、上記問題を解決するに十分に有効な手段と成り得ると考えられる。
しかしながらその一方で、該可撓性Ｕ字溝を埋設すべき箇所が上下方向又は左右及び上下方向に彎曲しており、そのような場所に該可撓性Ｕ字溝が埋設された場合、前記Ｕ字溝内を流れる水の一部がその彎曲部分を曲がり切れずに、前記Ｕ字溝の上部から外へと飛散するという現象が生じ得る。これを放置すれば、飛散した水が前記Ｕ字溝周辺の土壌を侵食して埋設された前記Ｕ字溝との間に間隙をつくり、ひいては前記Ｕ字溝の浮上を導いてしまう。さらには、土圧荷重に対する蛇腹状部の剛性についてもさらなる改良の余地がまだ残されている。
【０００７】
【課題を解決するための手段】
本発明は、上記課題に鑑みなされたものであって、その目的とするところは、接続後の隣接Ｕ字溝との接続部からの水漏れが極めて生じ難く、さらに埋設箇所の曲がり具合に応じた種々の方向への彎曲が可能である利点を有し、かつ流水の外部への飛散を効果的に防止し、かつ、周囲の土圧荷重に対する剛性が高い可撓性を有する構造体の提供である。すなわち本発明は、水流の向きを変える位置に設置使用される構造体であって、硬質合成樹脂又は繊維強化樹脂からなる筒状体であって、少なくともその一部において、内外周壁の実質全体にわたって延びる山部及び谷部が交互に該筒状体の長手方向に連続形成されることにより、可撓性蛇腹状部を備えてなることを特徴とする可撓性を有する構造体に関する。また本発明の好ましい態様は、水流の向きを変える位置に設置使用される構造体であって、硬質合成樹脂又は繊維強化樹脂からなる筒状体であって、少なくともその一部において、内外周壁の実質全体にわたって延びる山部及び谷部が交互に該筒状体の長手方向に連続形成されることにより、可撓性蛇腹状部を備え、かつ、該蛇腹状部の上流側及び下流側に、波形が長手方向に連続形成された直線形Ｕ字溝の端部と嵌合する雌型接続部及び雄型接続部を、該蛇腹状部と連なって一体に成形してなることを特徴とする可撓性を有する構造体に関する。上記筒状体は、周壁が一周にわたって連続する完全な筒状体でなくとも、つまり周壁のうち頂部について切り欠かれた不完全な筒状体であっても、本発明の所定の目的を事実上達成することができる。したがって、本発明は別の態様として、水流の向きを変える位置に設置使用される構造体であって、硬質合成樹脂又は繊維強化樹脂からなる筒状体の長手方向に延びる頂部の一部又は全部が切り欠かれた切り欠き筒状体であって、少なくともその一部において、内外周壁の実質全体にわたって延びる山部及び谷部が交互に該切り欠き筒状体の長手方向に連続形成されることにより、可撓性蛇腹状部を備えてなることを特徴とする、可撓性を有する構造体にも関する。さらに本発明は、水流の向きを変える位置に設置使用される構造体であって、硬質合成樹脂又は繊維強化樹脂からなる筒状体の長手方向に延びる頂部の一部又は全部が切り欠かれた切り欠き筒状体であって、少なくともその一部において、内外周壁の実質全体にわたって延びる山部及び谷部が交互に該切り欠き筒状体の長手方向に連続形成されることにより、可撓性蛇腹状部を備え、かつ、該蛇腹状部の上流側及び下流側に、波形が長手方向に連続形成された直線形Ｕ字溝の端部と嵌合する雌型接続部及び雄型接続部を、該蛇腹状部と連なって一体に成形してなることを特徴とする、可撓性を有する構造体にも関する。
【０００８】
本発明の可撓性を有する構造体の特徴は、筒状体であって、少なくともその一部において、内外周壁の実質全体にわたって延びる、筒状体の内方に突出する山部及び外方に突出する谷部が交互に該筒状体の長手方向に連続形成されてなる可撓性蛇腹状部を有することにある。この蛇腹状部は筒状体の内壁の全体にわたって形成された状態となっているので、本発明の構造体を任意の方向に彎曲することを可能にする機能を果たしている。この為、例えば、埋設箇所が左右に彎曲すると共に上下方向に向かって傾斜する等複雑な曲がり方をしている場合であっても、上下左右の方向に自由自在にそして目的の角度に彎曲することが可能である。本構造体を複数個連結してもよく、或いは直線形Ｕ字溝と組み合わせて使用してもよい。その上、該蛇腹状部が筒状の構造をなす為、左右又は下方に急な角度で彎曲した埋設箇所においても、上部が開いた断面略Ｕ字形状の蛇腹状部をもつ可撓性Ｕ字溝とは異なって、曲がりきれなくなった水の一部が前記Ｕ字溝の上部から外へと飛散することなく、全流量の水を有効に流し通すことができる。したがって飛散した水が周囲の土壌を侵食して構造体と土壌との間に間隙を生じ、もって構造体の浮上の原因となってしまうおそれもない。
本構造体が上記可撓性Ｕ字溝に比較して有益な他の点は、水の飛散防止のみならず蛇腹状部の剛性が向上されていることにある。従来の上部が開いた構造の断面略Ｕ字形状のＵ字溝においては、左右の側部の特に上部は、本構造体の外方から内方に向かって作用する土圧荷重によって内方へと局部変形又はねじれ変形してしまう可能性があるが、本構造体の蛇腹状部は筒状体であり、いわばＵ字溝の左右の側壁部のそれぞれの上部が連続して一体に結合されているような構造である為、前述の土圧荷重が作用したとしても、内外周壁の内方への局部変形又はねじれ変形を非常に有効に防止し得る。
本構造体の蛇腹状部は筒形状をとれば良く、その長手方向に対して直交する断面はどのような形状のものであっても構わない。例えば、断面略円形状である他、断面略楕円形状、断面略四角形状、断面略六角形状もしくは断面略八角形状等が挙げられ、また、長手方向にに延びる山部及び谷部の形状は、通常の蛇腹状であることはもちろん、可撓性部分としての機能を損なわない範囲において、例えば断面波形状、或いは断面ジグザグ形状であっても構わない。
直線形Ｕ字溝との、或いは本構造体同士の接続に関しては、本構造体の上流側及び下流側においてフランジ部を設け、これの適当な箇所に適当な数のリベットを通す為の孔を適宜穿設し、接続される直線形Ｕ字溝又は本構造体のフランジ部における対応する箇所にも孔を穿設することで、互いの孔を位置合わせし、リベットによって簡単に鋲着することが可能である。
【０００９】
また、本発明における好ましい態様の一つは、前述した形状の可撓性蛇腹状部を備えるとともに、かつ、該蛇腹状部の上流側及び下流側に、波形が長手方向に連続形成された直線形Ｕ字溝の端部と嵌合する雌型接続部及び雄型接続部を、該蛇腹状部と連なって一体に成形してなるところの可撓性の構造体である。前記蛇腹状部は、前述したように本構造体を任意の方向に彎曲することを可能にする機能を果たす。また、前記蛇腹状部と連なって一体成形される雌型接続部及び雄型接続部は、直線形Ｕ字溝とのもしくは本構造体との接続に際して嵌合され得るよう、適用されるＵ字溝の端部に対応した形状にそれぞれ成形される。そして、水の流れに対して上流側となる端部に形成された雌型接続部の内壁は、下流側となる端部に形成された雄型接続部の外壁と比較してやや大きな構造を有することによって、本構造体の直線形Ｕ字溝への取り付けは非常に簡便である。すなわち、使用される直線形Ｕ字溝の上流側の端部の内側に、本構造体の下流側の雄型接続部を上方から載せ置くようにするか、或いは直線形Ｕ字溝の上流側端部にその形状と嵌合し得る形状をなす本構造体の雄型接続部を嵌め込むことで接続され得る。また、本構造体を直線形Ｕ字溝の下流側端部に接続する場合においても、本構造体の上流側の雌型接続部の内側に、直線形Ｕ字溝の下流側端部を載せ置くか、或いは本構造体の雌型接続部に、その内側形状と嵌合し得る形状をなす直線形Ｕ字溝の下流側端部を嵌め込むことで接続され得る。このように雌型接続部及び雄型接続部は、使用される直線形Ｕ字溝の端部と嵌合構造を形成するので密着性も高く、接続部からの水漏れの恐れが非常に少ないという利点を有する。また、本構造体の雌型接続部及び雄型接続部の上端において、外方へと延びる補強壁を形成し、この補強壁にリベットを通す孔を複数個設けてなる態様も好ましい。これによって、もし嵌め込み後においてさらなる固定を必要とするのであれば、嵌め込み後、前記孔と、あらかじめ直線形Ｕ字溝の対応する箇所、例えば補強壁に設けられた同様の孔とを位置合わせし、リベットにて鋲着、固定することが可能となる。
【００１０】
本発明の可撓性を有する構造体の別の態様は、筒状体の長手方向に延びる頂部の一部又は全部が切り欠かれた切り欠き筒状体であって、少なくともその一部において、内外周壁の実質全体にわたって延びる山部及び谷部が交互に該切り欠き筒状体の長手方向に連続形成されることにより可撓性蛇腹状部を備えてなる構造のものである。切り欠き部の存在によって、使用中の本構造体の内壁の状態、例えば落ち葉やゴミ詰まりの目視が容易である。該可撓性蛇腹状部は断面略蹄鉄形状であるが、もちろん、本構造体を上下左右の任意の方向に彎曲することは可能である。頂部の全部が切り欠かれている構造である場合、その切り欠き部分の幅方向の長さは例えば５ないし１０ｃｍであることが適当である。もちろん、本構造体の埋設されるべき箇所の勾配が緩やかであって、水流が本構造体の外へと飛散するおそれが少ないと考えられる場合であれば、切り欠き部分はより幅広の構造をとっても構わない。
また、複数の架け渡し材を切り欠き部分の幅方向に適当箇所に備える構造をとることは、可撓性蛇腹状部の頂部の剛性向上の面から好ましく、例えば架け渡し材は、切り欠き部分を挟んで互いに対向する内壁又は外壁にそれぞれリベット等で固定され得る。なお、切り欠き部分が架け渡し材にて横架された構造の可撓性蛇腹状部は、頂部の一部が切り欠かれた構造の可撓性蛇腹状部の一例に過ぎず、成形の段階からあらかじめ切り欠かれた構造のものであってもよい。
【００１１】
上述した切り欠き筒状体構造である可撓性蛇腹状部を有する本構造体は、好ましくはその可撓性蛇腹状部の上流側及び下流側に、波形が長手方向に連続形成された直線形Ｕ字溝の端部と嵌合する雌型接続部及び雄型接続部を、該蛇腹状部と連なって一体に成形され得る。すでに述べたように、雌型接続部及び雄型接続部は、使用される直線形Ｕ字溝の端部と嵌合構造をなすよう形成されるので密着性も高く、接続部からの水漏れの恐れが非常に少ないという利点を有する。
【００１２】
接続部については、上述したように波形が長手方向に連続形成された直線形Ｕ字溝の端部と本構造体の雌型接続部又は雄型接続部を嵌合するのみの接続方法であっても漏水することなしに十分に固定され得るが、例えば地盤が緩く、埋設されたＵ字溝が比較的位置ずれしやすい等の条件が過酷な土地での使用が必要な場合においては、その嵌合部分に合成ゴム製のパッキン材を装入した形態とし、接続した際の密着力をさらに高めることもできる。本発明において、前記パッキン材は、本構造体の雄型接続部の外側表面に密着するような、雌型接続部の内側表面に密着するような形状であると共に、該接続部の左右の側壁部の上部まで届く長さを有する。該パッキン材の厚さは、０．５ｍｍ以下では耐久性の点で十分とは言えず、５ｍｍ以上になると接続部の嵌合性能が損なわれ始めることから、０．５ｍｍないし５ｍｍの範囲内にあることが望ましい。前記パッキン材の使用方法は非常に簡便で、その内側表面を雄型接続部の外側表面にあてがって密着させ、前述したように、そのまま該雄型接続部を雌型接続部或いは直線形Ｕ字溝の接続部に嵌め込むのみである。該パッキン材を使用することの利点としては、本構造体と直線形Ｕ字溝もしくは本構造体同士の接続部の密着性をさらに高めることによって、接続された本構造体及び直線形Ｕ字溝もしくは本構造体同士がより強固に固定されて安定度が高まると同時に、該接続部からの水漏れの恐れを一層低減する等の好ましい効果を導くことである。
【００１３】
本発明の可撓性を有する構造体においてさらに好ましい態様の一つは、上述した構造の蛇腹状部が、その内面の一の山部と対向する山部との間隔が、接続されるべき直線形Ｕ字溝の水路幅よりもより長く、彎曲使用されたとき該山部による水流の妨げが低減されるように設計されていることを特徴とするものである。すなわち、蛇腹状部を彎曲使用した際、折り畳まれる側となる山部の頂きが内方へとさらに突出すると、水の流れの妨げとなるが、上記の態様はそのような水流の妨げの低減を図ったものである。かような山部の内方への突出は、蛇腹状部の一の山部と対向する山部との間隔が、接続されるべき直線形Ｕ字溝の水路幅よりも短い構造において顕著な現象であり、結果としてこの突出された部分は水路を狭め、落ち葉やゴミの流れを妨げる等の弊害をもたらす。それに対し、蛇腹状部の一の山部と対向する山部との間隔が、接続されるべき直線形Ｕ字溝の水路幅よりもより長い構造の蛇腹状部であれば、彎曲使用された場合においても、その折り畳まれる側における山部が水流の妨げとなる程に内側に突出することがない。したがって水流の妨げを軽減することとなり、その為、落ち葉やゴミが突出した山部に引っかかって滞留してしまうおそれも非常に少なくなる。
【００１４】
本発明の可撓性を有する構造体に使用され得る硬質合成樹脂としては、ポリエチレンの他、ポリ塩化ビニル、ポリプロピレン、ポリエチレンテレフタレート、ポリアミドが挙げられ、また不飽和ポリエステル等にガラス繊維、炭素繊維、有機繊維などを含有させた繊維強化樹脂も使用され得る。
【００１５】
以上説明したように、本発明の可撓性を有する構造体は、埋設箇所の状況に応じて種々の方向への彎曲が可能であり、また直線形Ｕ字溝との接続箇所からの水漏れのおそれも低いだけでなく、構造体内を流れる水の外部への飛散を効果的に防止し得、かつ内外周壁に作用する土圧荷重に対する剛性も非常に高いという利点を有する。
【００１６】
【実施例】
図面を参照して本発明をさらに詳細に説明する。以下の実施例はいかなる場合も本発明を限定するものと解釈してはならない。
【００１７】
（実施例１）
図１に本発明の可撓性を有する構造体の一態様である可撓性を有する構造体１の斜視図を示す。ポリエチレンからなる可撓性を有する構造体１は、筒状体であって、内外周壁の実質全体にわたって延びる山部２及び谷部３が交互に筒状体４の長手方向に連続形成されることにより、断面略円形状の可撓性蛇腹状部５を備えている。さらに、可撓性を有する構造体１の上流側及び下流側にはフランジ部６及び張出し部７が、該蛇腹状部５と連なって一体に成形されている。可撓性を有する構造体１は、かような蛇腹状部５を備えることによって、任意の角度で彎曲使用することが可能な構造をとっている。また、蛇腹状部５は筒状体であって、その内部に水流路が全体的に覆われて形成されるので、可撓性を有する構造体１内を流れる水が外部へと飛散してしまうことを効果的に防止している。さらに、かかる筒状体構造をとることにより、蛇腹状部５に対して種々の方向から土圧荷重が作用しても、断面略Ｕ字形状の蛇腹状部と比較して剛性が非常に高く、もって蛇腹状部５の局部変形又はねじれ変形が有効に防止され得る。可撓性を有する構造体１と使用するＵ字溝との接続は以下のとおり、容易になし得る。すなわち、可撓性を有する構造体１のフランジ部６と、接続されるＵ字溝にあらかじめ設けてなる対応するフランジ部とを互いに接触させ、同時に、可撓性を有する構造体１と使用するＵ字溝のうち、上流側となる方の張出し部７をもう一方の張出し部７上に重ね合わせた後、フランジ部６に穿設されたリベットを通す孔８と、使用するＵ字溝の対応する箇所に設けられた孔を重ね合わせ、リベットによって鋲着するのみで十分に固定される。
【００１８】
（実施例２）
本実施例においては、好ましい態様の一つである可撓性を有する構造体９を挙げて説明する。可撓性を有する構造体９の斜視図である図２、可撓性を有する構造体９の平面図である図３及び可撓性を有する構造体９の側面図である図４において示すように、ポリエチレン樹脂からなる可撓性を有する構造体９は、雄型接続部１０及び雌型接続部１１とその間に形成される蛇腹状部１２からなり、これらが連なって一体成形された構造をとっている。蛇腹状部１２は、実施例１における可撓性を有する構造体１の蛇腹状部５と同様の構造である。本実施例においては、雄型接続部１０及び雌型接続部１１は、接続される直線形Ｕ字溝の端部の形状に対応して、凹条部１３と凸条部１４とが交互に波形をなして可撓性の構造体９の長手方向へと連続形成されると共に、凹条部１３及び凸条部１４の上端において垂直壁１５を形成し、さらに垂直壁１５の上端から外方へ向かって延びる補強壁１６を形成する構造を示す。凹状部１３と凸状部１４の波形成形により雄型接続部１０及び雌型接続部１１の剛性の向上が図られ、垂直壁１５を設けることによって、埋設の際に土砂が上端まで均一に充填されるよう設計されている。また補強壁１６はＵ字溝の形状に対応して成形されているものであるが、雄型接続部１０及び雌型接続部１１の上部が周囲の土圧荷重によってねじれ変形してしまうのを防止する機能を有している。雄型接続部１０及び雌型接続部１１の特徴としては、水流に対して上流側となる雌型接続部１１の内壁は、雄型接続部１０の外壁よりもごく僅かに大きい寸法となるよう成形されており、可撓性を有する構造体９同士を接続する場合において、一方の可撓性を有する構造体９の雄型接続部１０が他方の可撓性の構造体９の雌型接続部１１の内部に嵌め込まれる仕組みとなした点である。接続する場合においては、雄型接続部１０を雌型接続部１１の内側に嵌め込めばよい。また、雄型接続部１０及び雌型接続部１１は、それら接続部と同様の構造をなす直線形Ｕ字溝の端部と嵌合し得る形状に成形されているので、該Ｕ字溝への接続も容易である。すなわち、可撓性を有する構造体９の雌型接続部１１に、その内側形状と嵌合し得る形状をなす直線形Ｕ字溝の下流側端部を嵌め込むことにより、又は直線形Ｕ字溝の上流側端部に、その形状と嵌合し得る可撓性を有する構造体９の雄型接続部１０を嵌め込むことにより接続され得る。以上のように、雄型接続部１０及び雌型接続部１１は嵌合しやすい形状をなし、接続された場合は密着性も高いのでその嵌合部分からの水漏れを効果的に防止することができる。その上、その接続作業も非常に簡便で、特殊な熟練を要することもない。可撓性を有する構造体９の雄型接続部１０及び雌型接続部１１との間には、実施例１における蛇腹状部５と同様の蛇腹状部１２が連なって一体成形されている。本実施例においては、蛇腹状部１２は、図３のＡ−Ａ線における断面図である図５に示すように、断面略円形状構造を有すると共に、谷部１７の底１８及び山部１９の頂き２０がそれぞれ鋭くに屈曲して成形しているが、蛇腹状部としての機能を損なわない範囲において、底１８及び頂き２０が各々ゆるやかに彎曲する構造であってもよいし、又は鋭く屈曲する形状とゆるやかに彎曲する形状を任意の順列で形成する構造であっても何ら差し支えない。なお、山部１９の頂き２０は、水流の真っ直ぐの流れを妨げない程度に可撓性を有する構造体９の内方へとやや突出する構造をとっても構わない。また、図２及び図３に示すように、雄型接続部１０及び雌型接続部１１の上端に形成された補強壁１６には、リベットを通す孔２１が穿設されているが、上述したように可撓性の構造体９と直線形Ｕ字溝、もしくは可撓性を有する構造体９同士を嵌合した場合には、それぞれの孔は互いに重なるよう成形されているので、孔同士を位置合わせする必要が無く、嵌合後そのままリベットにて鋲着することができる。孔２１は必要に応じて現場にて、ドリル等によって穿設しても良いが、作業性の面から成形時にあらかじめ設けておくことが好ましい。
図６は図３と同様に可撓性の構造体９の平面図であるが、可撓性を有する構造体９の彎曲した形状を示している。図６から分かるように、蛇腹状部１２の山部１９と対向する山部１９’との間隔が、接続されるべき直線形Ｕ字溝の水路幅Ｌよりもより長くなるよう設計されている。この構造は水流の妨げとなるおそれが少ないという利点を有する。
可撓性を有する構造体１は、その蛇腹状部１２が筒状体を形成している為、勾配が緩やかな埋設箇所のみならず、勾配が急な埋設箇所においても、曲り切れなくなった水が構造体１の外へと飛散してしまうことを完全に防止し得る。また、蛇腹状部１２は言わば、その左右の側壁部のそれぞれの上部が連続して一体に結合されているような構造である為、蛇腹状部１２に対して土圧荷重が作用したとしても、その内方への局部変形又はねじれ変形を非常に有効に防止し得る。
【００１９】
（実施例３）
本発明の別の態様の一つである可撓性を有する構造体２２を挙げて説明する。可撓性を有する構造体２２の斜視図である図７、可撓性を有する構造体２２の平面図である図８及び図８のＢ−Ｂ線における断面図である図９において示すように、ポリエチレン樹脂からなる可撓性を有する構造体２２は、筒状体の長手方向に延びる頂部２３の全部が切り欠かれた切り欠き筒状体２４であって、内外周壁の実質全体にわたって延びる山部２５及び谷部２６が交互に該切り欠き筒状体２４の長手方向に連続形成されることにより可撓性蛇腹状部２７を備えかつその上流側及び下流側に雄型接続部１０及び雌型接続部１１とを可撓性蛇腹状部２７と連なって一体に成形してなる構造をとっている。雄型接続部１０及び雌型接続部１１は実施例２における可撓性を有する構造体９の雄型接続部１０及び雌型接続部１１と同様の構造である。可撓性蛇腹状部２７の頂部２３には、切り欠き部分２８が形成されているものの、可撓性を有する構造体２２が任意の角度で彎曲使用することが可能であり、さらに、その埋設箇所が急な勾配を有していたとしても、切り欠き部分２８は幅狭となるよう成形されている為、頂部２３からの水の飛散は十分効果的に抑えられる構造である。
【００２０】
（実施例４）
本実施例は、頂部２３の一部が切り欠かれた本構造体の一つとして、実施例３における可撓性を有する構造体２２において、その切り欠き部分２８の幅方向に、ポリエチレン製の架け渡し材２９を備えてなる態様を示す。可撓性を有する構造体２２の斜視図である図１０、可撓性を有する構造体２２の平面図である図１１及び図８のＣ−Ｃ線における断面図である図１２において示すように、架け渡し材２９は長方形の平板であり、切り欠き部分２８をまたいでその両端がリベット３０によって頂部２３に鋲着されている。その他の構造は実施例３と同様である。架け渡し材２９の存在によって、可撓性蛇腹状部２７の剛性が向上し、可撓性蛇腹状部２７の側方から作用する土圧荷重によって切り欠き部２８が閉じられてしまう可能性がより低まる。
【００２１】
（実施例５）
本発明の可撓性を有する構造体のもう一つの態様は、図１３に示す可撓性を有する構造体３１である。ポリエチレン樹脂からなる可撓性を有する構造体３１は、実施例３における構造体２２と同様に可撓性蛇腹状部３２の頂部の全部が切り欠かれているが、その切り欠きは水平に為され、さらにはその切り欠き部分がより幅広となるように成形されている点で構造体２２と異なる。可撓性を有する構造体３１は切り欠き部分が広口であるが、勾配が緩やかで、内壁を流れる水が穏やかとなる埋設箇所においては、頂部からの水の飛散防止の効果を十分に発揮し得る。また、可撓性を有する構造体３１内を流れる水が落ち葉やその他のゴミ等により妨げられていないかを容易に目視し、また可撓性を有する構造体３１の内壁を清掃することもたやすい構造である。
【００２２】
可撓性を有する構造体９、２２及び３１には、現場の状況に応じて、例えば図１４に示すような長形構造を有するパッキン材３３を使用することもできる。パッキン材３３はその内側表面３４が該雄型接続部１０の外側表面に密接するよう、断面略Ｕ字形状の形状に成形されている。パッキン材３３の取付けは特別な手法を用いることはなく、例えば図４に示すように、凹状部１３の外側表面にパッキン材３３の内側表面３４を貼り付けるようにして装着する。図４において、パッキン材３３は一の凹条部１３に装着されているのみであるが、それ以外の凹条部１３にパッキン材３３を複数個同時装着することももちろん可能である。かかるパッキン材３３を使用することによって、雄型接続部１０と雌型接続部１１との密着性がより一層高まり、それによって嵌合部から水漏れを起こす可能性がより一層低くなる。
【００２３】
【発明の効果】
以上に説明したように、本発明の可撓性を有する構造体は、自由自在に彎曲できるので、埋設箇所の状況に応じて左右及び上下の種々の方向へ彎曲した設置が可能である。また、隣接Ｕ字溝との接続箇所において水漏れを引き起こすおそれも低い。のみならず、構造体内を流れる水の外部への飛散を効果的に防止し、かつ、周囲の土圧荷重に対する剛性も非常に高い。
【図面の簡単な説明】
【図１】本発明の実施例１の可撓性を有する構造体１の斜視図である。
【図２】本発明の実施例２の可撓性を有する構造体９の斜視図である。
【図３】本発明の実施例２の可撓性を有する構造体９の平面図である。
【図４】本発明の実施例２の可撓性を有する構造体９の側面図である。
【図５】図３のＡ−Ａ線における断面図である。
【図６】本発明の実施例２の可撓性を有する構造体９を彎曲した場合の平面図である。
【図７】本発明の実施例３の可撓性を有する構造体２２の斜視図である。
【図８】本発明の実施例３の可撓性を有する構造体２２の平面図である。
【図９】図８のＢ−Ｂ線における断面図である。
【図１０】本発明の実施例４の可撓性を有する構造体２２の斜視図である。
【図１１】本発明の実施例４の可撓性を有する構造体２２の平面図である。
【図１２】図１１のＣ−Ｃ線における断面図である。
【図１３】本発明の実施例５の可撓性を有する構造体３１の斜視図である。
【図１４】構造体９、２２及び３１に使用され得るパッキン材３３の斜視図である。
【符号の説明】
１、９、２２、３１  可撓性を有する構造体    ２、１９、２５  山部
３、１７、２６  谷部                        ４  筒状体
５、１２、２７、３２  蛇腹状部              ６  フランジ部
７  張出し部                                ８  孔
１０  雄型接続部      １１  雌型接続部      １３  凹条部
１４  凸条部          １５  垂直壁          １６  補強壁
１８  底              ２０  頂き            ２１  孔
２３  頂部            ２４  切り欠き筒状体  ２８  切り欠き部分
２９架け渡し材        ３０  リベット        ３３  パッキン材
【図１】
2004150109.tif 000003
【図２】
2004150109.tif 000004
【図３】
2004150109.tif 000005
【図４】
2004150109.tif 000006
【図５】
2004150109.tif 000007
【図６】
2004150109.tif 000008
【図７】
2004150109.tif 000009
【図８】
2004150109.tif 000010
【図９】
2004150109.tif 000011
【図１０】
2004150109.tif 000012
【図１１】
2004150109.tif 000013
【図１２】
2004150109.tif 000014
【図１３】
2004150109.tif 000015
【図１４】
2004150109.tif 000016
【手続補正書】
【提出日】平成15年6月9日(2003.6.9)
【手続補正１】
【補正対象書類名】明細書
【補正対象項目名】特許請求の範囲
【補正方法】変更
【補正の内容】
【特許請求の範囲】
【請求項１】
波形が長手方向に連続形成された上流側の直線形Ｕ字溝と下流側の該直線形Ｕ字溝とを接続する為に用いられる、水流の向きを変える位置に設置使用される構造体であって、
硬質合成樹脂又は繊維強化樹脂からなる筒状体であって、少なくともその一部において、内外周壁の実質全体にわたって延びる山部及び谷部が交互に該筒状体の長手方向に連続形成されることにより、可撓性蛇腹状部を備え、
かつ、該蛇腹状部の上流側及び下流側に、波形が長手方向に連続形成された直線形Ｕ字溝の端部と嵌合する雌型接続部及び雄型接続部を、該蛇腹状部と連なって一体に成形してなることを特徴とする、
直線形Ｕ字溝との接続の為の可撓性を有する構造体。
【請求項２】
波形が長手方向に連続形成された上流側の直線形Ｕ字溝と下流側の該直線形Ｕ字溝とを接続する為に用いられる、水流の向きを変える位置に設置使用される構造体であって、
硬質合成樹脂又は繊維強化樹脂からなる筒状体の長手方向に延びる頂部の一部又は全部が切り欠かれた切り欠き筒状体であって、少なくともその一部において、内外周壁の実質全体にわたって延びる山部及び谷部が交互に該切り欠き筒状体の長手方向に連続形成されることにより、可撓性蛇腹状部を備え、
かつ、該蛇腹状部の上流側及び下流側に、波形が長手方向に連続形成された直線形Ｕ字溝の端部と嵌合する雌型接続部及び雄型接続部を、該蛇腹状部と連なって一体に成形してなることを特徴とする、
直線形Ｕ字溝との接続の為の可撓性を有する構造体。
【手続補正２】
【補正対象書類名】明細書
【補正対象項目名】０００７
【補正方法】変更
【補正の内容】
【０００７】
【課題を解決するための手段】
本発明は、上記課題に鑑みなされたものであって、その目的とするところは、接続後の隣接Ｕ字溝との接続部からの水漏れが極めて生じ難く、さらに埋設箇所の曲がり具合に応じた種々の方向への彎曲が可能である利点を有し、かつ流水の外部への飛散を効果的に防止し、かつ、周囲の土圧荷重に対する剛性が高い可撓性を有する構造体の提供である。すなわち本発明は、波形が長手方向に連続形成された上流側の直線形Ｕ字溝と下流側の該直線形Ｕ字溝とを接続する為に用いられる、水流の向きを変える位置に設置使用される構造体であって、硬質合成樹脂又は繊維強化樹脂からなる筒状体であって、少なくともその一部において、内外周壁の実質全体にわたって延びる山部及び谷部が交互に該筒状体の長手方向に連続形成されることにより、可撓性蛇腹状部を備え、かつ、該蛇腹状部の上流側及び下流側に、波形が長手方向に連続形成された直線形Ｕ字溝の端部と嵌合する雌型接続部及び雄型接続部を、該蛇腹状部と連なって一体に成形してなることを特徴とする、直線形Ｕ字溝との接続の為の可撓性を有する構造体に関する。上記筒状体は、周壁が一周にわたって連続する完全な筒状体でなくとも、つまり周壁のうち頂部について切り欠かれた不完全な筒状体であっても、本発明の所定の目的を事実上達成することができる。したがって、本発明は別の態様として、波形が長手方向に連続形成された上流側の直線形Ｕ字溝と下流側の該直線形Ｕ字溝とを接続する為に用いられる、水流の向きを変える位置に設置使用される構造体であって、硬質合成樹脂又は繊維強化樹脂からなる筒状体の長手方向に延びる頂部の一部又は全部が切り欠かれた切り欠き筒状体であって、少なくともその一部において、内外周壁の実質全体にわたって延びる山部及び谷部が交互に該切り欠き筒状体の長手方向に連続形成されることにより、可撓性蛇腹状部を備え、かつ、該蛇腹状部の上流側及び下流側に、波形が長手方向に連続形成された直線形Ｕ字溝の端部と嵌合する雌型接続部及び雄型接続部を、該蛇腹状部と連なって一体に成形してなることを特徴とする、直線形Ｕ字溝との接続の為の可撓性を有する構造体にも関する。


【手続補正３】
【補正対象書類名】明細書
【補正対象項目名】０００８
【補正方法】変更
【補正の内容】
【０００８】
本発明の可撓性を有する構造体の特徴は、筒状体であって、少なくともその一部において、内外周壁の実質全体にわたって延びる、筒状体の内方に突出する山部及び外方に突出する谷部が交互に該筒状体の長手方向に連続形成されてなる可撓性蛇腹状部を有することにある。この蛇腹状部は筒状体の内壁の全体にわたって形成された状態となっているので、本発明の構造体を任意の方向に彎曲することを可能にする機能を果たしている。この為、例えば、埋設箇所が左右に彎曲すると共に上下方向に向かって傾斜する等複雑な曲がり方をしている場合であっても、上下左右の方向に自由自在にそして目的の角度に彎曲することが可能である。本構造体を複数個連結してもよく、或いは直線形Ｕ字溝と組み合わせて使用してもよい。その上、該蛇腹状部が筒状の構造をなす為、左右又は下方に急な角度で彎曲した埋設箇所においても、上部が開いた断面略Ｕ字形状の蛇腹状部をもつ可撓性Ｕ字溝とは異なって、曲がりきれなくなった水の一部が前記Ｕ字溝の上部から外へと飛散することなく、全流量の水を有効に流し通すことができる。したがって飛散した水が周囲の土壌を侵食して構造体と土壌との間に間隙を生じ、もって構造体の浮上の原因となってしまうおそれもない。
本構造体が上記可撓性Ｕ字溝に比較して有益な他の点は、水の飛散防止のみならず蛇腹状部の剛性が向上されていることにある。従来の上部が開いた構造の断面略Ｕ字形状のＵ字溝においては、左右の側部の特に上部は、本構造体の外方から内方に向かって作用する土圧荷重によって内方へと局部変形又はねじれ変形してしまう可能性があるが、本構造体の蛇腹状部は筒状体であり、いわばＵ字溝の左右の側壁部のそれぞれの上部が連続して一体に結合されているような構造である為、前述の土圧荷重が作用したとしても、内外周壁の内方への局部変形又はねじれ変形を非常に有効に防止し得る。
本構造体の蛇腹状部は筒形状をとれば良く、その長手方向に対して直交する断面はどのような形状のものであっても構わない。例えば、断面略円形状である他、断面略楕円形状、断面略四角形状、断面略六角形状もしくは断面略八角形状等が挙げられ、また、長手方向にに延びる山部及び谷部の形状は、通常の蛇腹状であることはもちろん、可撓性部分としての機能を損なわない範囲において、例えば断面波形状、或いは断面ジグザグ形状であっても構わない。


【手続補正４】
【補正対象書類名】明細書
【補正対象項目名】００１７
【補正方法】変更
【補正の内容】
【００１７】
（参考例）
図１に参考例として、可撓性を有する構造体１の斜視図を示す。ポリエチレンからなる可撓性を有する構造体１は、筒状体であって内外周壁の実質全体にわたって延びる山部２及び谷部３が交互に筒状体４の長手方向に連続形成されることにより、断面略円形状の可撓性蛇腹状部５を備えている。さらに、可撓性を有する構造体１の上流側及び下流側にはフランジ部６及び張出し部７が、該蛇腹状部５と連なって一体に成形されている。可撓性を有する構造体１は、かような蛇腹状部５を備えることによって、任意の角度で彎曲使用することが可能な構造をとっている。また、蛇腹状部５は筒状体であって、その内部に水流路が全体的に覆われて形成されるので、可撓性を有する構造体１内を流れる水が外部へと飛散してしまうことを効果的に防止している。さらに、かかる筒状体構造をとることにより、蛇腹状部５に対して種々の方向から土圧荷重が作用しても、断面略Ｕ字形状の蛇腹状部と比較して剛性が非常に高く、もって蛇腹状部５の局部変形又はねじれ変形が有効に防止され得る。可撓性を有する構造体１と使用するＵ字溝との接続は以下のとおり、容易になし得る。すなわち、可撓性を有する構造体１のフランジ部６と、接続されるＵ字溝にあらかじめ設けてなる対応するフランジ部とを互いに接触させ、同時に、可撓性を有する構造体１と使用するＵ字溝のうち、上流側となる方の張出し部７をもう一方の張出し部７上に重ね合わせた後、フランジ部６に穿設されたリベットを通す孔８と、使用するＵ字溝の対応する箇所に設けられた孔を重ね合わせ、リベットによって鋲着するのみで十分に固定される。


【手続補正５】
【補正対象書類名】明細書
【補正対象項目名】００１８
【補正方法】変更
【補正の内容】
【００１８】
（実施例１）
本実施例においては、好ましい態様の一つである可撓性を有する構造体９を挙げて説明する。可撓性を有する構造体９の斜視図である図２、可撓性を有する構造体９の平面図である図３及び可撓性を有する構造体９の側面図である図４において示すように、ポリエチレン樹脂からなる可撓性を有する構造体９は、雄型接続部１０及び雌型接続部１１とその間に形成される蛇腹状部１２からなり、これらが連なって一体成形された構造をとっている。蛇腹状部１２は、参考例における可撓性を有する構造体１の蛇腹状部５と同様の構造である。本実施例においては、雄型接続部１０及び雌型接続部１１は、接続される直線形Ｕ字溝の端部の形状に対応して、凹条部１３と凸条部１４とが交互に波形をなして可撓性の構造体９の長手方向へと連続形成されると共に、凹条部１３及び凸条部１４の上端において垂直壁１５を形成し、さらに垂直壁１５の上端から外方へ向かって延びる補強壁１６を形成する構造を示す。凹状部１３と凸状部１４の波形成形により雄型接続部１０及び雌型接続部１１の剛性の向上が図られ、垂直壁１５を設けることによって、埋設の際に土砂が上端まで均一に充填されるよう設計されている。また補強壁１６はＵ字溝の形状に対応して成形されているものであるが、雄型接続部１０及び雌型接続部１１の上部が周囲の土圧荷重によってねじれ変形してしまうのを防止する機能を有している。雄型接続部１０及び雌型接続部１１の特徴としては、水流に対して上流側となる雌型接続部１１の内壁は、雄型接続部１０の外壁よりもごく僅かに大きい寸法となるよう成形されており、可撓性を有する構造体９同士を接続する場合において、一方の可撓性を有する構造体９の雄型接続部１０が他方の可撓性の構造体９の雌型接続部１１の内部に嵌め込まれる仕組みとなした点である。接続する場合においては、雄型接続部１０を雌型接続部１１の内側に嵌め込めばよい。また、雄型接続部１０及び雌型接続部１１は、それら接続部と同様の構造をなす直線形Ｕ字溝の端部と嵌合し得る形状に成形されているので、該Ｕ字溝への接続も容易である。すなわち、可撓性を有する構造体９の雌型接続部１１に、その内側形状と嵌合し得る形状をなす直線形Ｕ字溝の下流側端部を嵌め込むことにより、又は直線形Ｕ字溝の上流側端部に、その形状と嵌合し得る可撓性を有する構造体９の雄型接続部１０を嵌め込むことにより接続され得る。以上のように、雄型接続部１０及び雌型接続部１１は嵌合しやすい形状をなし、接続された場合は密着性も高いのでその嵌合部分からの水漏れを効果的に防止することができる。その上、その接続作業も非常に簡便で、特殊な熟練を要することもない。可撓性を有する構造体９の雄型接続部１０及び雌型接続部１１との間には、参考例における蛇腹状部５と同様の蛇腹状部１２が連なって一体成形されている。本実施例においては、蛇腹状部１２は、図３のＡ−Ａ線における断面図である図５に示すように、断面略円形状構造を有すると共に、谷部１７の底１８及び山部１９の頂き２０がそれぞれ鋭くに屈曲して成形しているが、蛇腹状部としての機能を損なわない範囲において、底１８及び頂き２０が各々ゆるやかに彎曲する構造であってもよいし、又は鋭く屈曲する形状とゆるやかに彎曲する形状を任意の順列で形成する構造であっても何ら差し支えない。なお、山部１９の頂き２０は、水流の真っ直ぐの流れを妨げない程度に可撓性を有する構造体９の内方へとやや突出する構造をとっても構わない。また、図２及び図３に示すように、雄型接続部１０及び雌型接続部１１の上端に形成された補強壁１６には、リベットを通す孔２１が穿設されているが、上述したように可撓性の構造体９と直線形Ｕ字溝、もしくは可撓性を有する構造体９同士を嵌合した場合には、それぞれの孔は互いに重なるよう成形されているので、孔同士を位置合わせする必要が無く、嵌合後そのままリベットにて鋲着することができる。孔２１は必要に応じて現場にて、ドリル等によって穿設しても良いが、作業性の面から成形時にあらかじめ設けておくことが好ましい。
図６は図３と同様に可撓性の構造体９の平面図であるが、可撓性を有する構造体９の彎曲した形状を示している。図６から分かるように、蛇腹状部１２の山部１９と対向する山部１９’との間隔が、接続されるべき直線形Ｕ字溝の水路幅Ｌよりもより長くなるよう設計されている。この構造は水流の妨げとなるおそれが少ないという利点を有する。
可撓性を有する構造体１は、その蛇腹状部１２が筒状体を形成している為、勾配が緩やかな埋設箇所のみならず、勾配が急な埋設箇所においても、曲り切れなくなった水が構造体１の外へと飛散してしまうことを完全に防止し得る。また、蛇腹状部１２は言わば、その左右の側壁部のそれぞれの上部が連続して一体に結合されているような構造である為、蛇腹状部１２に対して土圧荷重が作用したとしても、その内方への局部変形又はねじれ変形を非常に有効に防止し得る。


【手続補正６】
【補正対象書類名】明細書
【補正対象項目名】００１９
【補正方法】変更
【補正の内容】
【００１９】
（実施例２）
本発明の別の態様の一つである可撓性を有する構造体２２を挙げて説明する。可撓性を有する構造体２２の斜視図である図７、可撓性を有する構造体２２の平面図である図８及び図８のＢ−Ｂ線における断面図である図９において示すように、ポリエチレン樹脂からなる可撓性を有する構造体２２は、筒状体の長手方向に延びる頂部２３の全部が切り欠かれた切り欠き筒状体２４であって内外周壁の実質全体にわたって延びる山部２５及び谷部２６が交互に該切り欠き筒状体２４の長手方向に連続形成されることにより可撓性蛇腹状部２７を備え、かつ、その上流側及び下流側に雄型接続部１０及び雌型接続部１１とを可撓性蛇腹状部２７と連なって一体に成形してなる構造をとっている。雄型接続部１０及び雌型接続部１１は実施例１における可撓性を有する構造体９の雄型接続部１０及び雌型接続部１１と同様の構造である。可撓性蛇腹状部２７の頂部２３には、切り欠き部分２８が形成されているものの、可撓性を有する構造体２２が任意の角度で彎曲使用することが可能であり、さらに、その埋設箇所が急な勾配を有していたとしても、切り欠き部分２８は幅狭となるよう成形されている為、頂部２３からの水の飛散は十分効果的に抑えられる構造である。


【手続補正７】
【補正対象書類名】明細書
【補正対象項目名】００２０
【補正方法】変更
【補正の内容】
【００２０】
（実施例３）
本実施例は、頂部２３の一部が切り欠かれた本構造体の一つとして、実施例２における可撓性を有する構造体２２において、その切り欠き部分２８の幅方向に、ポリエチレン製の架け渡し材２９を備えてなる態様を示す。可撓性を有する構造体２２の斜視図である図１０、可撓性を有する構造体２２の平面図である図１１及び図８のＣ−Ｃ線における断面図である図１２において示すように、架け渡し材２９は長方形の平板であり、切り欠き部分２８をまたいでその両端がリベット３０によって頂部２３に鋲着されている。その他の構造は実施例２と同様である。架け渡し材２９の存在によって、可撓性蛇腹状部２７の剛性が向上し、可撓性蛇腹状部２７の側方から作用する土圧荷重によって切り欠き部２８が閉じられてしまう可能性がより低まる。


【手続補正８】
【補正対象書類名】明細書
【補正対象項目名】００２１
【補正方法】変更
【補正の内容】
【００２１】
（実施例４）
本発明の可撓性を有する構造体のもう一つの態様は、図１３に示す可撓性を有する構造体３１である。ポリエチレン樹脂からなる可撓性を有する構造体３１は、実施例３における構造体２２と同様に可撓性蛇腹状部３２の頂部の全部が切り欠かれているが、その切り欠きは水平に為され、さらにはその切り欠き部分がより幅広となるように成形されている点で構造体２２と異なる。可撓性を有する構造体３１は切り欠き部分が広口であるが、勾配が緩やかで、内壁を流れる水が穏やかとなる埋設箇所においては、頂部からの水の飛散防止の効果を十分に発揮し得る。また、可撓性を有する構造体３１内を流れる水が落ち葉やその他のゴミ等により妨げられていないかを容易に目視し、また可撓性を有する構造体３１の内壁を清掃することもたやすい構造である。


【手続補正９】
【補正対象書類名】明細書
【補正対象項目名】図面の簡単な説明
【補正方法】変更
【補正の内容】
【図面の簡単な説明】
【図１】参考例としての可撓性を有する構造体１の斜視図である。
【図２】本発明の実施例１の可撓性を有する構造体９の斜視図である。
【図３】本発明の実施例１の可撓性を有する構造体９の平面図である。
【図４】本発明の実施例１の可撓性を有する構造体９の側面図である。
【図５】図３のＡ−Ａ線における断面図である。
【図６】本発明の実施例１の可撓性を有する構造体９を彎曲した場合の平面図である。
【図７】本発明の実施例２の可撓性を有する構造体２２の斜視図である。
【図８】本発明の実施例２の可撓性を有する構造体２２の平面図である。
【図９】図８のＢ−Ｂ線における断面図である。
【図１０】本発明の実施例３の可撓性を有する構造体２２の斜視図である。
【図１１】本発明の実施例３の可撓性を有する構造体２２の平面図である。
【図１２】図１１のＣ−Ｃ線における断面図である。
【図１３】本発明の実施例４の可撓性を有する構造体３１の斜視図である。
【図１４】構造体９、２２及び３１に使用され得るパッキン材３３の斜視図である。
【符号の説明】
１、９、２２、３１  可撓性を有する構造体    ２、１９、２５  山部
３、１７、２６  谷部                        ４  筒状体
５、１２、２７、３２  蛇腹状部              ６  フランジ部
７  張出し部                                ８  孔
１０  雄型接続部      １１  雌型接続部      １３  凹条部
１４  凸条部          １５  垂直壁          １６  補強壁
１８  底              ２０  頂き            ２１  孔
２３  頂部            ２４  切り欠き筒状体  ２８  切り欠き部分
２９架け渡し材        ３０  リベット        ３３  パッキン材